(57)【要約】  【課題】上部開口の開放時には通常の手提げ紙袋と全く同様な形態で使用でき、上部開口の閉鎖時には容積を大きく維持できる箱形形状とすることができ、しかも低コストで製作することができる手提げ紙袋を提供する。  【解決手段】底面部１から立ち上がる前後面部３及び１対の側面部４からなる、上部が開口した胴部２を有し、各側面部４の中央に上下方向の中央折り線５がそれぞれ形成された手提げ紙袋であって、側面部４の上端縁４ａから該側面部の幅寸法Ｗの略１／２の寸法下がった高さ位置に、胴部（２）全周に亘る全周折り線９を形成し、各中央折り線５の上端と、側面部４における全周折り線９の両端との間に斜め折り線１０をそれぞれ形成したことを特徴とする。  【選択図】  図１
2006168798.tif 000002
【特許請求の範囲】
【請求項１】
底面部（１）からそれぞれ立ち上がる前後面部（３）及び１対の側面部（４）からなる、上部が開口した胴部（２）を有し、前記各側面部（４）の中央に上下方向の中央折り線（５）がそれぞれ形成された手提げ紙袋であって、
前記側面部（４）の上端縁（４ａ）から該側面部の幅寸法（Ｗ）の略１／２の寸法下がった高さ位置に、前記胴部（２）全周に亘る全周折り線（９）を形成し、
前記各中央折り線（５）の上端と、前記側面部（４）における前記全周折り線（９）の両端との間に斜め折り線（１０）をそれぞれ形成したことを特徴とする手提げ紙袋。
【請求項２】
前記前後面部（３）の少なくとも一方の上部に、上端縁（３ａ）が前記側面部（４）の上端縁（４ａ）よりも高くなっている立ち上がり片（１１）を形成したことを特徴とする請求項１記載の手提げ紙袋。
【請求項３】
前記前後面部（３）と前記側面部（４）との境界をなす稜線（７）の上端に切り込み（１２）を入れたことを特徴とする請求項１又は２記載の手提げ紙袋。
【請求項４】
提げ手（１３）は、前記前後面部（３）の前記全周折り線（９）の下方又は上方に取り付けられていることを特徴とする請求項１，２又は３記載の手提げ紙袋。
【発明の詳細な説明】
【技術分野】
【０００１】
この発明は、手提げ紙袋に関し、さらに詳細には、上部開口を必要に応じて開閉することができる手提げ紙袋に関する。
【背景技術】
【０００２】
手提げ紙袋は上部開口が開放したままのものが一般的であり、収容物の量が多くなるとどうしても上の方にある物が外部から見えてしまう。また、収容物の量が多くなくとも、持ち運んでいるときは上部開口が閉じるが、床や椅子などに置くと紙袋の性質上、上部開口が自然と開いてしまう。収容物によっては人に見られるのが嫌な物もあり、また外気に触れるのが好ましくない物もある。
【０００３】
このようなことから、上部開口を開閉できるようにした手提げ紙袋が提案されている（例えば特許文献１参照）。しかし、従来、提案されている開閉式の手提げ紙袋の多くは、その胴部を形成する前後面部の上部を接近させ、側面から見たら略二等辺三角形となるようにすぼめるようにしている。その結果、上部開口の閉鎖時には側面部も折り畳まれることとなり、容積が極めて減少してしまう。
【０００４】
上部開口を矩形の蓋体で閉鎖するようにした手提げ紙袋も提案されている（特許文献２参照）。この手提げ紙袋によれば、矩形の蓋体で胴部が箱形形状に保持されるので、容積減少の問題は解消される。しかし、蓋体は胴部と別体となっているので、製作コストが高くなり、また蓋体の紛失というような問題も生じる。
【特許文献１】実開平５−５４２９０号公報
【特許文献２】特開２００４−１９６３６３号公報
【発明の開示】
【発明が解決しようとする課題】
【０００５】
この発明は上記のような技術的背景に基づいてなされたものであって、次の目的を達成するものである。
この発明の目的は、上部開口の開放時には通常の手提げ紙袋と全く同様な形態で使用でき、上部開口の閉鎖時には容積を大きく維持できる箱形形状とすることができ、しかも低コストで製作することができる手提げ紙袋を提供することにある。
【課題を解決するための手段】
【０００６】
この発明は上記課題を達成するために、次のような手段を採用している。
すなわち、この発明は、底面部（１）からそれぞれ立ち上がる前後面部（３）及び１対の側面部（４）からなる、上部が開口した胴部（２）を有し、前記各側面部（４）の中央に上下方向の中央折り線（５）がそれぞれ形成された手提げ紙袋であって、
前記側面部（４）の上端縁（４ａ）から該側面部の幅寸法（Ｗ）の略１／２の寸法下がった高さ位置に、前記胴部（２）全周に亘る全周折り線（９）を形成し、
前記各中央折り線（５）の上端と、前記側面部（４）における前記全周折り線（９）の両端との間に斜め折り線（１０）をそれぞれ形成したことを特徴とする手提げ紙袋にある。
【０００７】
上記手提げ紙袋において、前記前後面部（３）の少なくとも一方の上部に、上端縁（３ａ）が前記側面部（４）の上端縁（４ａ）よりも高くなっている立ち上がり片（１１）を形成した構造とするとよい。また、前記前後面部（３）と前記側面部（４）との境界をなす稜線（７）の上端に切り込み（１２）を入れるとよい。提げ手（１３）は、前記前後面部（３）の前記全周折り線（９）の下方又は上方に取り付けられている。
【０００８】
この発明による手提げ紙袋を閉鎖箱形形状にするには、図１の上部が開口した箱形状態において、両側面部（４）の全周折り線（９）よりも上方部分を、当該折り線（９）に沿って外側に折り曲げる。この折り曲げ操作によって、図３に示すように、前後面部（３）の全周折り線（９）よりも上方部分（３ｂ）が当該折り線（９）に沿って内側に折り曲げられるとともに、両側面部（４）の斜め折り線（１０）よりも上方部分が当該折り線（１０）に沿って内側に折り曲げられる。これにより、前後面部（３）の上方部分（３ｂ）による上部開口を閉鎖する蓋が形成されるとともに、側面部（４）の上端に二等辺三角形の張出し片（１５）が形成される。そして、図４に示すように、張出し片（１５）を側面部（４）側に折り曲げると、全体に箱形形状をなす手提げ紙袋となる。
【発明の効果】
【０００９】
この発明によれば、上部開口の開放時には通常の手提げ紙袋と全く同様な形態で使用でき、上部開口の閉鎖時には容積を大きく維持できる箱形形状とすることができ、しかも低コストで製作することができる。
【発明を実施するための最良の形態】
【００１０】
この発明の実施形態を図面を参照しながら以下に説明する。図１は、この発明による手提げ紙袋を示し、上部開口を開放させ全体を箱形とした状態を示す斜視図である。手提げ紙袋は、外形形状は従来のそれとほぼ同様であり、底面部１から立ち上がり、上部が開口した胴部２を有している。胴部２は前後面部３（符号は一方にのみ付す）と、１対の側面部４（符号は一方にのみ付す）とからなっている。
【００１１】
各側面部４の中央に上下方向に形成された中央折り線５、胴部２の下部にその半周に亘って形成された折り線６、及び各側面部４における折り線６の端から側面部４と前後面部３との境界をなす稜線７の下端にかけて形成された斜め折り線８は、従来と同様のものである。したがって、胴部２を折り線５に沿って折り畳み、同時に底部１を折り線６，８に沿って前後面部の一方側（符号３で示される側）に折り畳むことができる。
【００１２】
この発明によれば、側面部４の幅寸法をＷとすると、側面部４の上端縁４ａからＷ／２の寸法下がった高さ位置に、胴部２の全周に亘る全周折り線９が形成されている。また、中央折り線５の上端と、側面部４における全周折り線９の両端との間に斜め折り線１０がそれぞれ形成されている。前後面部３の上部にはその上端縁３ａが、側面部４の上端縁４ａよりも高くなっている立ち上がり片１１がそれぞれ形成されている。
【００１３】
さらに、稜線７の上端部には適宜長さの切り込み１２が形成されている。図示の実施形態では、提げ手１３となる紐などの部材は、全周折り線９の下方における前後面部３に穴１４を形成して取り付けられているが、全周折り線９の上方に取り付けることもできる。
【００１４】
図２は、この発明による手提げ紙袋を通常のものと同様に使用する状態を示す斜視図である。すなわち、側面部４がその中央折り線５及び斜め折り線８に沿って内側に折り曲げられた状態である。手提げ紙袋が折り畳まれた状態から、胴部２を立ち上げると自然とこの状態になる。この使用状態は通常の手提げ紙袋と何ら異なるところがない。
【００１５】
図３は、この発明による手提げ紙袋を閉鎖箱形形状として使用する場合の手順を示す斜視図、図４は箱形形状とされた手提げ紙袋を示す斜視図である。閉鎖箱形形状にするには、図１の上部が開口した箱形状態において、両側面部４の全周折り線９よりも上方部分を指でつまんで、当該折り線９に沿って外側に折り曲げる。この折り曲げ操作によって、図３に示すように、前後面部３の全周折り線９よりも上方部分３ｂが当該折り線９に沿って内側に折り曲げられるとともに、両側面部４の斜め折り線１０よりも上方部分が当該折り線１０に沿って内側に折り曲げられる。
【００１６】
これにより、前後面部３の上方部分３ｂによる蓋が形成されるとともに、側面部４の上端に二等辺三角形の張出し片１５が形成される。この状態で、前後面部３の各立ち上がり片１１は互いに重なり合い、胴部２の上部開口は完全に閉鎖される。そして、図４に示すように、張出し片１５を側面部４側に折り曲げると、全体に箱形形状をなす手提げ紙袋となる。
【００１７】
胴部２を構成する紙の紙厚が薄い場合、張出し片１５は図３の状態に復元しようとする。この場合、図４の状態で側面部４の上部両端間を手で挟んで前後面部３を幾分か互いに接近させると、切り込み１２，１２が互いに嵌り合い、張出し片１５の折り曲がった状態が保持される。なお、胴部２を形成する紙厚を厚くした場合は、張出し片１５の折り曲がった状態が保持されるので、切り込みは必ずしも入れなくともよい。
【００１８】
上記のように手提げ紙袋を箱形形状とすることにより、大きな容積を保つことができる。また、前後面部３の一部である蓋３ｂ，３ｂによって上部開口が閉鎖されるので、収容物が見られることがない。さらに、箱形形状であるのでケーキなどの菓子類をそのまま収容しても形くずれが生じることがない。箱形形状にして贈答品などを入れたものを、そのまま相手に渡しても違和感がない。
【００１９】
上記実施形態は例示にすぎず、この発明は種々の改変が可能である。
(1) 立ち上がり片１１は必ずしも設ける必要がない。設ける場合であっても、前後面部の一方に設けるようにしてもよい。
(2) 上記したところではあるが、切り込み１２は紙厚などの紙の特性に応じて設ければよい。切り込み１２を入れる場合であっても、上記実施形態のように側面部４の両側の稜線７双方に設ける必要はなく、いずれか一方の側の稜線７にのみ設けるようにしてもよい。
【００２０】
(3) 張出し片１５は、蓋３ｂ側に折り曲げるようにしてもよい。この場合、張出し片１５の先端を接着テープで蓋３ｂに止めるようにしてもよいし、蓋３ｂに張出し片１５の先端を差し込む切り込みを設けるようにしてもよい。この点は張出し片１５を側面部４側に折り曲げる場合も同様である。すなわち、切り込み１２を設けることなく、張出し片１５の先端を接着テープで側面部４に止めるようにしてもよいし、側面部４に張出し片１５の先端を差し込む切り込みを形成するようにしてもよい。
(4) 手提げ紙袋の材質は紙そのものである場合はもちろん、表面にラミネートフィルムを加工したものでもよく、この場合も本発明に包含されることはいうまでもない。
【図面の簡単な説明】
【００２１】
【図１】この発明による手提げ紙袋を示し、上部開口を開放させ全体を箱形とした状態を示す斜視図である。
【図２】この発明による手提げ紙袋を通常のものと同様に使用する状態を示す斜視図である。
【図３】この発明による手提げ紙袋を閉鎖箱形形状として使用する場合の手順を示す斜視図である。
【図４】箱形形状とされた手提げ紙袋を示す斜視図である。
【符号の説明】
【００２２】
１      底部
２      胴部
３ａ    上端縁
３ａ    上方部分
３ｂ    蓋
３ｂ    上方部分（蓋）
４      側面部
４ａ    上端縁
５      中央折り線
６      折り線
７      稜線
８      斜め折り線
９      全周折り線
１０      斜め折り線
１１      立ち上がり片
１２      切り込み
１３      提げ手
１５      張出し片
【図１】
2006168798.tif 000003
【図２】
2006168798.tif 000004
【図３】
2006168798.tif 000005
【図４】
2006168798.tif 000006